Podtech/llm-jp-corpus-v4-ja_patent huggingface dataset:
【手続補正書】
【提出日】平成16年11月29日(2004.11.29)
【手続補正１】
【補正対象書類名】明細書
【補正対象項目名】請求項１０
【補正方法】変更
【補正の内容】
【請求項１０】
請求項８又は９において、前記直流電池には該電池から出力される電圧を定電圧に保持する定電圧供給装置が接続されている電蝕防止装置。
【手続補正２】
【補正対象書類名】明細書
【補正対象項目名】００１３
【補正方法】変更
【補正の内容】
【００１３】
請求項９記載の発明は、請求項７又は８において、前記低電位金属体は、容器内において所定の絶縁空間又は絶縁部材を介して一組配置されている。
請求項１０記載の発明は、請求項８又は９において、前記直流電池には該電池から出力される電圧を定電圧に保持する定電圧供給装置が接続されている。
【手続補正３】
【補正対象書類名】明細書
【補正対象項目名】００１９
【補正方法】変更
【補正の内容】
【００１９】
前記絶縁容器２１内には第１の低電位金属組体２５と第２の低電位金属組体２６が前後に配設されている。第１の低電位金属組体２５は、外側に位置する薄肉横円筒状をなす銅板よりなる第１低電位金属体２７と、該金属体２７の内周面に嵌入接触した亜鉛ブロックよりなる厚肉横円筒状の第２低電位金属体２８とから構成されている。同様に第２低電位金属組体２６も前記第１低電位金属体２７及び第２低電位金属体２８と同様の第１低電位金属体２９及び第２低電位金属体３０により構成されている。前記第１及び第２の低電位金属組体２５，２６は、リング状の絶縁部材３１により直列に連結されている。この絶縁部材３１は絶縁容器２１に絶縁材よりなるブラケット３１ａを介して支持されている。
【手続補正４】
【補正対象書類名】明細書
【補正対象項目名】００２７
【補正方法】変更
【補正の内容】
【００２７】
このようにポンプ１２、タンク１３等の被電蝕体に生じた錆が除去された後、ポンプ１２が起動されると、海水がキングストン１６からサクションパイプ１４内に吸い上げられ、このため図１に示す容器２１内に海水が充満する。この時、海水によって電極端子Ｔ１，Ｔ２と第１及び第２の低電位金属組体２５，２６は絶縁空間Ｇ，Ｇに進入した海水によって電気的に接続される。これにより、直流電池３４の電圧が、定電圧供給装置３７を通して両接続線３２，３３及び電極端子Ｔ１，Ｔ２から第１及び第２の低電位金属組体２５，２６に印加される。従って、メッキの原理により最初に銅よりなる第１の低電位金属体２７，２９がイオン化されて銅被膜がポンプ１２及び冷却タンク１３の内面に形成される。そして、第１の低電位金属体２７，２９が消費されてしまった後、第２の低電位金属体２８，３０がイオン化され、亜鉛のメッキ層がポンプ１２の内壁面あるいは冷却タンク１３の内壁面に形成され、新たな錆の発生が防止される。第１の低電位金属体２７，２９が侵食された後は、第２の低電位金属体２８，３０が長期に亘って緩慢な速度で侵食され、錆の発生が長期間防止される。なお、この第１の低電位金属体２７，２９及び第２の低電位金属体２８，３０のイオン化は表面から行われるので、金属体２７〜３０は表面から侵食される。
【手続補正５】
【補正対象書類名】明細書
【補正対象項目名】００３２
【補正方法】変更
【補正の内容】
【００３２】
・  前記第１実施形態では、直流電池３４に定電圧供給装置３７を接続したので、例えば３．０Ｖ以上の電圧が両金属組体２５，２６に印加されることはなく、従って、金属組体２５，２６から多量の銅と亜鉛の混合したイオンが発生して過剰な厚さの防蝕被膜が形成されるのを防止することができる。
【手続補正６】
【補正対象書類名】明細書
【補正対象項目名】００５５
【補正方法】変更
【補正の内容】
【００５５】
請求項６において、前記容器は被電蝕体としての船舶、車両のエンジンの冷却水系路に介在されたものである電蝕防止装置。
請求項４，５，７，８のいずれか一つにおいて、各リード線は静電気を検出するセンサと、該センサにより検出された静電気に基づいて低電位金属体が消費されたか否かを表示する表示器とを備えている電蝕防止装置。
【手続補正７】
【補正対象書類名】明細書
【補正対象項目名】００６７
【補正方法】変更
【補正の内容】
【００６７】
請求項９記載の発明は、請求項７又は８記載の発明の効果に加えて、被電蝕体に対するメッキ被膜の形成を長期に亘って安定して行うことができる。
請求項１０に記載の発明は、請求項８又は９記載の発明の効果に加えて、定電圧供給装置により低電位金属体に対する電圧が一定値に抑制されるので、被膜の形成を適正に行うことができる。
【手続補正８】
【補正対象書類名】明細書
【補正対象項目名】符号の説明
【補正方法】変更
【補正の内容】
【符号の説明】  １５…電蝕防止装置、２１…容器、２５，２６…第１及び第２の低電位金属組体、２７，２９…第１の低電位金属体、２８，３０…第２の低電位金属体、３１…絶縁部材、３２，３３…接続線、３４…直流電池、３７…定電圧供給装置、３９，４０，４１，４２，５６，５７…リード線。
【手続補正書】
【提出日】平成16年9月28日(2004.9.28)
【手続補正１】
【補正対象書類名】明細書
【補正対象項目名】０００７
【補正方法】変更
【補正の内容】
【０００７】
図２は、図１のＡ−Ａ´線に沿った付属部分を含むシート６が開放された状態における断面図、図３はシート６が把持された状態における上爪−下爪対の断面図であって、本発明装置の要部を説明するためのものである。
【手続補正２】
【補正対象書類名】明細書
【補正対象項目名】０００８
【補正方法】変更
【補正の内容】
【０００８】
これらの図において、シート６（図１は鎖線で示す）は、複数対の上爪−下爪対２，…に把持されて、図１の上下から下方に向かって引き出され、ストッパー５に接触して進行を停止するが、上爪−下爪対２，…は、図２に示すようにシート６がストッパーに接触する前にシート６を開放して、これを下方に落下させ、シート山を形成させる。
【手続補正３】
【補正対象書類名】明細書
【補正対象項目名】図２
【補正方法】変更
【補正の内容】
【図２】 図１Ａ−Ａ´線に沿った断面図。
【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
共振形電源スイッチ装置において、
電源制御のためのパルス幅変調信号を発生するパルス幅変調制御部と、
前記パルス幅変調信号によって主トランスをスイッチング制御して第１共振電源を発生する主スイッチと、
駆動信号によって補助トランスをスイッチング制御して第２共振電源を発生する補助スイッチと、
前記パルス幅変調信号を入力する前記主スイッチと前記補助スイッチとが重複してオンしないようにするための休止時間を有する前記駆動信号を前記補助スイッチに出力する進延器と、を備えることを特徴とする共振形電源スイッチ装置。
【請求項２】
進延器は、駆動信号を、パルス幅変調信号よりも設定時間先立って発生する請求項１記載の共振形電源スイッチ装置。
【請求項３】
主スイッチと補助スイッチとは、休止時間の間に共振する請求項１記載の共振形電源スイッチ装置。
【手続補正２】
【補正対象書類名】明細書
【補正対象項目名】００１３
【補正方法】変更
【補正の内容】
【００１３】
【課題を解決するための手段】
このような課題に着目して本発明による共振形電源スイッチ装置は、電源制御のためのパルス幅変調信号を発生するパルス幅変調制御部と、前記パルス幅変調信号によって主トランスをスイッチング制御して第１共振電源を発生する主スイッチと、駆動信号によって補助トランスをスイッチング制御して第２共振電源を発生する補助スイッチと、前記パルス幅変調信号を入力する前記主スイッチと前記補助スイッチとが重複してオンしないようにするための休止時間を有する前記駆動信号を前記補助スイッチに出力する進延器と、を備えることを特徴とする。その進延器は、駆動信号を、パルス幅変調信号よりも設定時間先立って発生するものとする。本発明の主スイッチと補助スイッチとは、休止時間の間に共振する。
【手続補正３】
【補正対象書類名】図面
【補正対象項目名】図１
【補正方法】変更
【補正の内容】
【図１】
1998215570.tif 000001
【手続補正４】
【補正対象書類名】図面
【補正対象項目名】図３
【補正方法】変更
【補正の内容】
【図３】
1998215570.tif 000002
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
テレビ信号と、情報サービス・プロバイダからの情報とを統合するための装置であって、
情報サービス・プロバイダから、テレビ・プラットフォームへ情報を送信し、情報サービス・プロバイダへ、テレビ・プラットフォームからデータを送信することができる二方向接続装置を持つテレビ・プラットフォームと、
テレビ信号を受信し、同調し、解読することができ、上記テレビ・プラットフォームに接続しているチューナ／デコーダ・システムと、
上記テレビ・プラットフォームからの情報と、上記チューナ／デコーダ・システムからのテレビ信号とを結合することができるオーディオ／ビデオ・オーバレイと、
結合した情報とテレビ信号とを、テレビ・モニタに送ることができるビデオ／オーディオ出力システムとを含む装置。
【請求項２】
テレビ信号を情報サービス・プロバイダからの情報と結合するための方法であって、
テレビ放送ソースから、テレビ・チャンネル信号を選択するステップと、
あるテレビ・チャンネルに対する、情報サービス・プロバイダ・ネットワーク上の特定のサイトを識別するステップと、
上記特定のサイトを特定するステップと、
複数の情報および映像を、特定のサイトからテレビ・プラットフォームへ送信するステップと、
上記複数の情報および映像を、上記テレビ・チャンネル信号と結合するステップと、
テレビ上に、上記の結合したものを表示するステップとを含む方法。
【手続補正２】
【補正対象書類名】明細書
【補正対象項目名】００１０
【補正方法】変更
【補正の内容】
【００１０】
以上の説明に関して更に以下の項を開示する。
（１）テレビ信号と、情報サービス・プロバイダからの情報とを統合するための装置であって、
情報サービス・プロバイダから、テレビ・プラットフォームへ情報を送信し、情報サービス・プロバイダへ、テレビ・プラットフォームからデータを送信することができる二方向接続装置を持つテレビ・プラットフォームと、
テレビ信号を受信し、同調し、解読することができ、上記テレビ・プラットフォームに接続しているチューナ／デコーダ・システムと、
上記テレビ・プラットフォームからの情報と、上記チューナ／デコーダ・システムからのテレビ信号とを結合することができるオーディオ／ビデオ・オーバレイと、
結合した情報とテレビ信号とを、テレビ・モニタに送ることができるビデオ／オーディオ出力システムとを含む装置。
【手続補正書】
【提出日】平成16年7月26日(2004.7.26)
【手続補正１】
【補正対象書類名】明細書
【補正対象項目名】請求項４
【補正方法】変更
【補正の内容】
【請求項４】
グルタミン/ グルタミン酸豊富なたん白質がグルテンである、請求項１記載の方法。
【手続補正２】
【補正対象書類名】明細書
【補正対象項目名】０００６
【補正方法】変更
【補正の内容】
【０００６】
ヨーロッパ特許第５７８５７２号明細書中に、グルタマートに富んだたん白質加水分解物の調製方法が記載されている。この方法は、たん白質含有材料の酵素による加水分解、次いでパン酵母による処理の工程から成る。酵母の自己分解後、グルタミン酸をグルタマートに変えるグルタミナーゼを遊離する。
グルタミン酸の別の産生方法は、グルタミン/ グルタミン酸豊富なたん白質の加水分解を経由するものである。単離されたグルタミン- 豊富なたん白質を、適切なｐＨ及び温度条件下で酸- 及び（又は）酵素- 変換によって加水分解する。生成物を必要ならば更に処理する。最終的に、更にグルタマートに変換されるグルタミン酸が得られる。この後者の方法の欠点は、加水分解の間に遊離される他のアミノ酸が、生成物の広範な精製を要求すること（３回の結晶化）及び他のアミノ酸が窒素含有廃棄物として失われることにある。
【手続補正書】
【提出日】平成16年2月6日(2004.2.6)
【手続補正１】
【補正対象書類名】明細書
【補正対象項目名】請求項１
【補正方法】変更
【補正の内容】
【請求項１】
被殺菌粉体を紫外線照射部の振動コンベアに供給し、同粉体に紫外線を照射して粉体を殺菌する紫外線殺菌方法にあって、
同粉体が前記紫外線照射部を殺菌用振動コンベアにより搬送される間に、前記被殺菌粉体に下式を満たす条件で波長２５３．７ｎｍの紫外線を照射することを特徴とする粉体の紫外線殺菌方法。
（Ｑ×Ｔ×Ｓ×Ｕ）／Ｍ＝Ｋ≧５            ……………（１）式
ただし、
Ｋ：被殺菌粉体の紫外線受光係数（Ｗ・ｓ/ｇ）
Ｑ：被殺菌粉体の紫外線照射部における紫外線照明量（Ｗ/ｍ２）
Ｔ：被殺菌粉体の紫外線照射部における滞在時間（sec）
Ｍ：被殺菌粉体の紫外線照射部における重量（ｇ）
Ｓ：紫外線照射面積（ｍ２）
Ｕ：紫外線照射部における空気、風速及び紫外線透過ガラスによる補正係数
【手続補正２】
【補正対象書類名】明細書
【補正対象項目名】請求項３
【補正方法】変更
【補正の内容】
【請求項３】
被殺菌粉体を紫外線照射部の振動コンベアに供給し、同粉体に紫外線を照射して粉体を殺菌する紫外線殺菌方法にあって、
被殺菌粉体の供給ホッパと、同ホッパに連結される供給コンベアと、同供給コンベアの下流側に配される振動コンベアと、同振動コンベアの上方に配される紫外線照射源とを備え、前記紫外線照射源と前記振動コンベアとの間に紫外線透過板が介装されてなることを特徴とする粉体の紫外線殺菌装置。
【手続補正３】
【補正対象書類名】明細書
【補正対象項目名】請求項５
【補正方法】変更
【補正の内容】
【請求項５】
被殺菌粉体を紫外線照射部の振動コンベアに供給し、同粉体に紫外線を照射して粉体を殺菌する紫外線殺菌方法にあって、
被殺菌粉体の供給ホッパと、同ホッパに連結される供給コンベアと、同供給コンベアの下流側に配される振動コンベアと、同振動コンベアの上方に配される紫外線照射源とを備え、前記供給コンベアが振動コンベアからなることを特徴とする粉体の紫外線殺菌装置。
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
ネットワーク・スイッチにおいて、
データを受信し送信するための複数のネットワーク・ポートであって、各々が、
ネットワーク・インターフェース、
データ・バス・インターフェース、及び
プロセッサ・ポート・インターフェース
を含むネットワーク・ポートと、
上記複数のネットワーク・ポートの各々の上記データ・バス・インターフェースに接続されたデータ・バスと、
上記複数のネットワーク・ポートそれぞれの上記プロセッサ・ポート・インターフェースに接続されているプロセッサ・バスに接続されたプロセッサと、
メモリ・バス接続されたメモリと、
上記データ・バス、上記プロセッサ・バス、上記複数のネットワーク・ポートそれぞれに接続されたプロセッサ・バス、及び上記メモリ・バスに接続され、上記複数のネットワーク・ポートと上記メモリとの間のデータの流れを制御し、且つ、上記プロセッサが上記複数のネットワーク・ポート及び上記メモリにアクセスできるようにするためのスイッチ・マネージャであって、
上記データ・バスに接続され、上記複数のネットワーク・ポートそれぞれの状態を定期的にポーリングして、各々のポート状態を決定するためのポーリング・ロジックと、
上記メモリ・バス及び上記データ・バス・インターフェースに接続されたメモリ・バス・インターフェースと、
上記ポーリング・ロジックに接続され、上記複数のネットワーク・ポート、上記プロセッサ、及びメモリ・バス・インターフェース間のデータの流れを制御するための、コントロール・ロジックと、
を備えたスイッチ・マネージャと、
上記プロセッサ・バス、上記データ・バス・インターフェース及び上記メモリ・バス・インターフェースに接続されたプロセッサ・バス・インターフェースと
を含むスイッチ・マネージャと
からなることを特徴とするネットワーク・スイッチ。
【請求項２】
請求項１記載のネットワーク・スイッチにおいて、
上記プロセッサ・バス・インターフェースは、上記プロセッサ・バス、上記プロセッサ・インターフェース、及びポート・インターフェースを含み、
上記プロセッサ・バスが、上記スイッチ・マネージャと上記プロセッサとの間に接続されたプロセッサ部分、及び上記スイッチ・マネージャと上記複数のネットワーク・ポートの各々の上記プロセッサ・ポート・インターフェースとの間に接続されたポート部分を含み、
上記プロセッサ・インターフェースが、上記プロセッサ・バスの上記プロセッサ部分を介して上記プロセッサに接続されており、
上記ポート・インターフェースが、上記プロセッサ・インターフェースに接続され、且つ上記プロセッサ・バスの上記ポート部分を介して上記複数のネットワーク・ポートの各々に接続されている
ことを特徴とするネットワーク・スイッチ。
【請求項３】
請求項２記載のネットワーク・スイッチにおいて、上記プロセッサ・バス・インターフェースが、上記プロセッサ・バスの上記プロセッサ部分と上記ポート部分との間でサイクルを変換するためのバス転送ロジックを含むことを特徴とするネットワーク・スイッチ。
【請求項４】
請求項３記載のネットワーク・スイッチにおいて、上記プロセッサ・バス・インターフェースはさらに、
上記プロセッサ・インターフェース及び上記データ・バス・インターフェースに接続された第１の受信バッファと、
上記プロセッサ・インターフェース及び上記データ・バス・インターフェースに接続された第１の送信バッファと、
上記プロセッサ・バス・インターフェースと上記データ・バス・インターフェースとの間のデータの流れを制御するための、上記データ・バス・インターフェース、上記プロセッサ・インターフェース、上記第１の受信バッファ及び上記第１の送信バッファに接続された第１のコントローラ、
上記プロセッサ・インターフェース及び上記メモリ・バス・インターフェースに接続された第２の受信バッファと、
上記プロセッサ・インターフェース及び上記メモリ・バス・インターフェースに接続された第２の送信バッファと、
上記プロセッサ・バス・インターフェースと上記メモリ・バス・インターフェースとの間のデータの流れを制御するための、上記メモリ・バス・インターフェース、上記プロセッサ・インターフェース、上記第２の受信バッファ及び上記第２の送信バッファに接続された第２のコントローラと
を含むことを特徴とするネットワーク・スイッチ。
【手続補正書】
【提出日】平成16年6月28日(2004.6.28)
【手続補正１】
【補正対象書類名】明細書
【補正対象項目名】００４９
【補正方法】変更
【補正の内容】
【００４９】
スイッチ２１は、関連するフローのためのコネクションレコードが存在する制御ＲＡＭ２９内のアドレスを計算するために上りのセル（図２の４１）のＶＰおよびＶＣインデックスを採用する。典型的には、このコネクションレコードは、フローがスイッチ２１から出ていく出力ポート（即ち、スイッチレベルでのデスティネーション）を認識するためのビットベクトル、粒状の優先権スケール（granular priority scale）上でのフローの相対的な優先順位を識別するための優先権インデックス、およびスイッチ２１内のフローを唯一的に識別する回線インデックス（「Ｃｉｒｃｕｉｔ  Ｉｎｄｅｘ」）を含んでいる。図２において４３で示されているように、これらのコネクションパラメータはセルヘッダ内に書き込まれる。そして、セルがデータＲＡＭメモリー２７へ書き込まれ、セルに対してのポインタが複数のＦＩＦＯ入力キューの適切な一つとリンクされる。なお、キューの選択は関連するフローの優先順位に基づいて行われる。
【手続補正２】
【補正対象書類名】明細書
【補正対象項目名】００６１
【補正方法】変更
【補正の内容】
【００６１】
実時刻は、成形された時間多重出力トラフィックが出力リンク７１の帯域幅を本質的に満たすことができる速度でタイムライン６６上で増加させるのが有利である。思い出されるように、スケジューラ６２が各フローのキューメンバーのヘッドをマップ化することができる分解可能なタイムスロットの最大数は、これらのフローの最低許容周波数に対する最高許容周波数の比に基づく。したがって、実時刻がバケット毎にセルレートの論理的倍数で増加される。
【手続補正３】
【補正対象書類名】明細書
【補正対象項目名】００６２
【補正方法】変更
【補正の内容】
【００６２】
タイムライン６６についてのリファレンスである現在の実時刻より前であるか等しい時刻を表すタイムスロットに存在するデータ転送単位は、伝送のために選ばれる資格が有り、したがって、前述のようにして転送リスト６５にリンクされる。しかし、タイムライン６６の遅いタイムスロットに関連するタイムスロットに存在するデータ転送単位は、システムの実時刻がこれらのタイムスロットに到達するのに充分なだけ進むまで待ちの状態になる。ロールオーバによる曖昧さを避けるために、タイムライン６６は、以前にスケジュールされたデータ転送リミットに対する全てのリファレンスを、次のスキャンを見越して後からスケジュールされた転送単位に対しての任意のリファレンスが挿入される前に各タイムスロットから除去される。
【手続補正４】
【補正対象書類名】明細書
【補正対象項目名】００７８
【補正方法】変更
【補正の内容】
【００７８】
例えば、図７に示すように、一つの魅力のある代替手段は、８５と８６（図６）においてＧＣＲＡ（１／ＭＣＲ，τMCR ）適合でかつＧＣＲＡ（１／ＰＣＲ，τPCR ）適合であることが見出されたフローのデータ転送単位、即ちセルに対するリファレンスを、（１）ＭＣＲスケジューリング間隔で優先順位の高いカレンダキュー８８と、（２）優先順位の低いキューの作業維持領域との両方に入れることである。これは「競合」状態を作りだす。何故なら、そのような二重にキューに入れられたリファレンスの一つのインスタンスがキューの何れかにおいてサービスのために取り出される度に、デリンカー９０は他のキューからそのリファレンスの他のインスタンスを除去するからである。これは、トレランスτに関してのより厳しい限界が維持されるであろうことを意味する。この変形例でのトラフィック成形アルゴリズムは：
キューへ入れるとき、
速度ＭＣＲで優先順位の高いキューに入れ、
もしＧＣＲＡ（１／ＰＣＲ，τPCR ）適合であれば、優先順位の低い作業維持型のキューに入れ、
そうでなければ、ＰＣＲ出力間隔に基づき、優先順位の低い非作業維持型のキューに入れ、
キューから出すとき、
もし優先順位の高いキューから出すのであれば、優先順位の低いキューからリンクを外し、そうでなければ、優先順位の低いキューからリンクを外す。
【手続補正５】
【補正対象書類名】明細書
【補正対象項目名】００８８
【補正方法】変更
【補正の内容】
【００８８】
上記したように、タイムライン１０９は、６個の物理層１１１〜１１６に対してサービスするように構成されている。したがって、上記のようにカレンダキューの有効出力レートが、物理層１１１〜１１６の動作レートに近い値に低減された後においても僅かなレートの不整合は存在する。しかし、幸いにも、この僅かなレートの不整合は、仮想クロック計算のためのフロー毎定数（III ．Ｉ参照）を調整することによって、またＡＢＲおよびＵＢＲコネクションに対してはＵｔｏｐｉａ２フロー制御によって完全に補償できる。
【手続補正６】
【補正対象書類名】図面
【補正対象項目名】図３
【補正方法】変更
【補正の内容】
【図３】
1998215257.tif 000001
【手続補正書】
【提出日】平成16年1月21日(2004.1.21)
【手続補正１】
【補正対象書類名】明細書
【補正対象項目名】特許請求の範囲
【補正方法】変更
【補正の内容】
【特許請求の範囲】
【請求項１】
強度が制御された光ビームを発生する一体化レーザ・ベース光源であって、以下（ａ）ないし（ｄ）を含むことを特徴とする光源。
（ａ）ヘッダを含むパッケージ、
（ｂ）入射する光エネルギの強度を表した電気信号を発生し、受光面を含んでおり、前記ヘッダに取り付けられた光センサ手段、
（ｃ）前記光ビームが放射光ビームとして放射される唯一の発光面を備え、前記発光面が前記受光面とほぼ平行になるようにして、前記パッケージ内において前記光センサ手段に隣接して取り付けられるレーザ、
（ｄ） 凸状ビーム分割表面手段であって、前記放射光ビームの一部を反射光ビームとして前記光センサ手段に向けて反射し、前記放射光ビームの残りの部分を出力光ビームとして透過する、前記パッケージによって放射光ビーム内に支持された凸状ビーム分割表面手段。
【請求項２】
前記凸状ビーム分割表面に、前記反射光ビームと前記出力光ビームの強度比を決定する反射制御手段が含まれていることを特徴とする請求項１記載の光源。
【請求項３】
強度が制御された出力光ビームで光ファイバを照射するための一体化レーザ・ベース光源であって、以下の（ａ）ないし（ｃ）を含むことを特徴とする光源。
（ａ）以下の（イ）ないし（ハ）を含むレーザ／センサアセンブリ、
（イ）ヘッダ、
（ロ）受光面を含んでおり、前記ヘッダに取り付けられ、入射する光エネルギの強度を表した電気信号を発生する光センサ手段、
（ハ）放射光ビームとして前記光ビームが放射される唯一の発光面を備え、前記発光面が前記受光面に対してほぼ平行になるように、前記光センサ手段に隣接して取り付けられるレーザ、
（ｂ）ボール・レンズ、
（ｃ）以下（イ）および（ロ）を含むパッケージ
（イ）前記ボール・レンズを取り付ける軸方向ボアであって、前記光ファイバを収容することにより、前記光ファイバが前記ボール・レンズに対して所定の位置に位置決めされるような寸法が付与された部分を含む軸方向ボア、
（ロ）光学的に軸方向ボアとのアライメントがとられた本体部分であって、前記ボール・レンズが前記放射光ビームの一部を反射光ビームとして前記光センサ手段に向けて反射し、前記ボール・レンズが前記放射光ビームの残りの部分を出力光ビームとして透過し、かつ、前記出力光ビームの強度が最大となるように、前記ボール・レンズに対する前記レーザ／センサ・アセンブリを調整して収容するように寸法が付与された本体部分。
【請求項４】
前記レーザ及び前記光センサ手段が前記ヘッダに並べて取り付けられることを特徴とする請求項１から３のいずれかに記載の光源。
【請求項５】
前記レーザが、前記光センサ手段の受光面の一部に取り付けられることを特徴とする請求項１から３のいずれか記載の光源。
【手続補正書】
【提出日】平成16年9月3日(2004.9.3)
【手続補正１】
【補正対象書類名】明細書
【補正対象項目名】請求項３
【補正方法】変更
【補正の内容】
【請求項３】
ショ糖、ポリオール及び強い甘味物質及びその混合物より成る群から選ばれた甘味料０〜９５％を更に含有する、請求項１又は２記載のチョコレート調合物。
【手続補正２】
【補正対象書類名】明細書
【補正対象項目名】０００２
【補正方法】変更
【補正の内容】
【０００２】
【従来の技術】
通常のチョコレート調合物は、甘味料としてショ糖を含有する。チョコレートの必須成分はカカオニブ、すなわち殻及び胚芽が除かれ、ローストされたカカオビーンズ、砂糖及びココアバターである。カカオニブは約５５％がココアバターで、残りが蛋白質、炭水化物、タンニン、酸類等である。チョコレートのココアバター含有量は、その所定の特徴を調節し、その価格に大いに影響する。チョコレートの種々のタイプは、カカオニブと砂糖との比率を変えることによって得られる。ココアバターの量は、その適用に従って変化する。すなわち、ビタースウィートチョコレートはニブと砂糖の比率２：１を有し、一方スウィートチョコレートは１：２の比率を有する。
【手続補正３】
【補正対象書類名】明細書
【補正対象項目名】０００７
【補正方法】変更
【補正の内容】
【０００７】
【発明が解決しようとする課題】
本発明は，噴霧乾燥されたグルコース（デキストロース）をチョコレート中でショ糖の一部又は全部の代替物として使用することに関する。
本発明は、ココアバター、ココアリカー及び（又は）全乳パウダー及び甘味料を含有するチョコレート調合物において、甘味料が噴霧乾燥されたグルコース５〜１００％、好ましくは２０〜１００％を含有する、上記チョコレート調合物に関する。残りの甘味料はショ糖、ポリオール及び強い甘味物質及びその混合物より成る群から選ばれる。
【手続補正４】
【補正対象書類名】明細書
【補正対象項目名】００１６
【補正方法】変更
【補正の内容】
【００１６】
種々のタイプのチョコレートの種々の成分の標準相対量及び範囲──この範囲内でこれらの量は変化することができる──は、当業者によく知られている。
本発明から離れることなく、噴霧乾燥されたグルコースを減少された量の脂肪と組合せて使用することができる。すなわち３２（ｗ／ｗ）容量％より小さい、たとえば２８％又は２５％の低い総脂肪含有量を有するチョコレートを使用する。噴霧乾燥されたグルコースをポリオール、たとえばキシリトール、エリスリトール、ラクチトール、ソルビトール、マルチトール及びパラチニト( 商標名) 及び（又は）強い甘味物質と組合せて使用することもできる。
【手続補正５】
【補正対象書類名】明細書
【補正対象項目名】００１７
【補正方法】変更
【補正の内容】
【００１７】
製品は甘味料としてショ糖０〜９５％及び噴霧乾燥されたグルコース５〜１００％を含有する。ショ糖又は噴霧乾燥されたグルコースの一部を、ポリオール又は強い甘味物質、たとえばアスパルタームを含む他の適する甘味物質に代えてもよい。
ショ糖を噴霧乾燥されたグルコースに代えることは、標準のショ糖含有チョコレートの特徴に類似する又はそれよりも良好な特徴を有する製品を生じる。
【手続補正６】
【補正対象書類名】明細書
【補正対象項目名】００１８
【補正方法】変更
【補正の内容】
【００１８】
型に容易に詰められ、内包された空気はホットチョコレートマスからより容易に放出されるので、生成物の粘度は減少され、より簡単な型詰めをもたらされることが明らかである。粘度のこの低下は、同一粘度を有する生成物を得るのに使用される脂肪量の低下を可能にする。事実上これは、生成物がより少ない脂肪を含有し、まだ同一粘度を有することを意味する。この粘度は、チョコレートフィガー（chocolate figures)を製造する場合に重要である。型詰めができるために、一般により多くの脂肪を加え、粘度を減少させる。ショ糖を噴霧乾燥されたグルコースに代えた後に、これはもはや必要ない。この粘度効果は、ショ糖をポリオールに代えた時には観察されない。
【手続補正書】
【提出日】平成16年9月27日(2004.9.27)
【手続補正１】
【補正対象書類名】明細書
【補正対象項目名】請求項１７
【補正方法】変更
【補正の内容】
【請求項１７】
ディスプレイ画面、複数の一時的に定義可能な応答／データ入力キー、およびローカル制御手段を備え、加入者電話端末へ電話ネットワークを経由して遠隔サーバから管理ソフトウェアをダウンロードする方法であって、
上記遠隔サーバの電話番号に対応する加入者電話端末に記憶された番号に基づいて前記ソフトウェアのダウンロードを開始する、管理ソフトウェアをダウンロードする方法。
【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】 フレームで支持された座席部、及び前記座席部の前後における前記フレー
ムにそれぞれ取り付けられた左右一対の車輪を備える車椅子において、前記座席部が水平面に対して傾斜した時、前記座席部を水平に保持する水平保持機構部を備えていることを特徴とする車椅子。
【請求項２】 前記車椅子が、路面の下り傾斜又は途切れを検出する路面端部検出用セン
サを備えていることを特徴とする請求項１に記載の車椅子。
【請求項３】 前記車椅子が、路面の障害物を検知する垂直面検知用センサを備えている
ことを特徴とする請求項１又は２に記載の車椅子。
【請求項４】 前記水平保持機構部が、前記フレームの前後に設けられた左右一対の車輪
の高さを変えるリフト装置を含んで構成されていることを特徴とする請求項１〜３のいずれかに記載の車椅子。
【請求項５】 前記水平保持機構部が、更に、前記座席部に取り付けられた傾斜センサと
前記リフト装置を作動させるアクチュエータとを備えることを特徴とする請求項１又は４に記載の車椅子。
【請求項６】 前記リフト装置が、前記フレームに固定されたシリンダー部と、前記シリ
ンダー部から出入りし、端部に前記車輪が取り付けられたピストンロッドとからなるピストンシリンダー装置で構成されていることを特徴とする請求項５に記載の車椅子。
【請求項７】 前記アクチュエータが油圧ポンプ及び圧油供給配管系に設けられた切替バ
ルブ装置から構成され、前記傾斜センサからの出力信号により前記アクチュエータが選択的に前記シリンダー部内に圧油を供給及び排出を行うことを特徴とする請求項６に記載の車椅子。
【請求項８】 前記水平保持機構部が、前記座席部を前記フレームに対して前後に振り子
のように移動させるスイング装置を含んで構成されていることを特徴とする請求項１〜３のいずれかに記載の車椅子。
【請求項９】 前記スイング装置が、前記座席部を前記フレームに対して摺動可能に支持
する円弧状のガイドレールと、前記座席部を前記フレームに対して前後に移動させる駆動装置とから構成され、前記座席部が水平面に対して傾斜した時、前記座席部が前記ガイドレールに沿って振り子のように移動して水平状態を保持することを特徴とする請求項８に記載の車椅子。
【請求項１０】 前記水平保持機構部が、更に、前記座席部に設けられた傾斜センサと前
記駆動装置を作動させるアクチュエータとを備えることを特徴とする請求項９に記載の車椅子。
【請求項１１】 前記フレームに対してバランスウエイトが前後に移動可能に取り付けら
れていることを特徴とする請求項１０に記載の車椅子。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
複数の図柄を表示可能な図柄表示部が設けられており、所定条件を充足した場合に、その図柄表示部に表示された図柄が変動した後に確定表示となり、確定表示となった図柄が大当たり図柄である場合には、遊技者にとって価値のある特別遊技状態が生起する遊技機。
【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
デジタル放送番組で使用する番組素材データを取り込む番組素材入力装置と、
この装置で取り込まれた番組素材データを組み合わせて番組データを作成し、各素材データの少なくとも再生タイミング、表示位置を示す属性値を決定して、前記番組データの一部として保存する番組作成装置と、
前記番組素材入力装置で取り込まれた番組素材データと前記番組作成装置で生成された番組データとを蓄積して送出用のデジタル放送番組データを生成する番組データ蓄積装置と、
この装置に蓄積されたデジタル放送番組データを予め決められたスケジュールで、個々の番組毎に番組データ内の再生タイミングデータに基づき番組素材データを送出する番組送出装置と、
この装置により送出される番組素材データを個別に圧縮するエンコーダと、
このエンコーダにより圧縮された各番組素材データを多重化する多重化装置と、
この装置で多重化されたデータを放送する送信装置とを具備することを特徴とするデジタル放送番組送出システム。
【請求項２】
さらに、前記番組作成装置にて生成された番組データに、その番組中における任意の番組素材データの再生／非再生を決定する再生条件を設定し付加する再生条件設定装置を備えることを特徴とする請求項１記載のデジタル放送番組送出システム。
【請求項３】
前記再生条件設定装置は、さらに再生条件別に受信側の処理手順を定義する再生処理特定手段を備えることを特徴とする請求項２記載のデジタル放送番組送出システム。
【請求項４】
デジタル放送番組の任意の番組データを選択的に受信し、番組データ中から多重されている番組素材データを分離する受信回路と、
この受信回路で分離された番組素材データをそれぞれ伸長するデコーダと、
前記受信回路で受信された番組データに基づき各番組素材データの組み合わせ方を決定する番組データ処理回路と、
この番組データ処理回路の指示に従い前記デコーダで伸長された画像素材データを組み合わせて描画再生する画像処理回路と、
前記番組データ処理回路の指示に従い前記デコーダで伸長された音声素材データを再生する音声処理回路とを具備することを特徴とするデジタル放送番組受信装置。
【請求項５】
さらに、前記番組データから、その番組中における番組素材データに設定されている再生条件を検出し、その再生条件に基づいて前記番組素材データの再生方法を決定する再生条件判定回路を備えることを特徴とする請求項４記載のデジタル放送番組受信装置。
【請求項６】
前記再生条件判定回路は、前記番組データに付加されている再生条件に条件別に処理手順が定義されているとき、その定義された処理手順に基づいて番組素材データの再生方法を決定することを特徴とする請求項５記載のデジタル放送番組受信装置。
【請求項７】
放送番組で使用する番組素材データを取り込む番組素材入力装置と、
この装置で取り込まれた番組素材データを組み合わせて番組データを作成し、各素材データの少なくとも再生タイミングを示す属性値を決定して、前記番組データの一部として保存する番組作成装置と、
前記番組素材入力装置で取り込まれた番組素材データと前記番組作成装置で生成された番組データとを蓄積して送出用の放送番組データを生成する番組データ蓄積装置と、
この装置に蓄積された放送番組データを予め決められたスケジュールで、個々の番組毎に番組データ内の再生タイミングを示す属性値に基づき番組素材データを送出する番組送出装置と、
この装置により送出される番組素材データを多重化する多重化装置と、
この装置により多重化されたデータを放送する送信装置とを具備することを特徴とするデジタル放送番組送出システム。
【請求項８】
放送番組の任意の番組データを選択的に受信する受信手段と、
番組データ中から多重されている番組素材データを分離する分離手段と、
この分離手段で分離された番組素材データをそれぞれ伸張するデコーダ手段と、
前記受信手段で受信された番組データに基づき各番組素材データの組み合わせ方を決定する番組データ処理手段と、
この番組データ処理手段の指示に従い前記デコーダ手段で伸張された番組素材データを組み合わせて再生する再生手段とを具備することを特徴をするデジタル放送番組受信装置。
【手続補正書】
【提出日】平成17年6月20日(2005.6.20)
【手続補正１】
【補正対象書類名】明細書
【補正対象項目名】発明の名称
【補正方法】変更
【補正の内容】
【発明の名称】撮像装置および撮像方法
【手続補正２】
【補正対象書類名】明細書
【補正対象項目名】特許請求の範囲
【補正方法】変更
【補正の内容】
【特許請求の範囲】
【請求項１】
被写体を撮像し画像データを生成する撮像手段と、
上記撮像手段により生成された画像データを記憶する記憶手段と、
上記記憶手段により記憶された複数の上記画像データから単一の画像ファイルを生成するファイル化手段と、
上記ファイル化手段により生成された画像ファイルを記録媒体に記録する記録手段とを備える撮像装置。
【請求項２】
上記撮像手段は所定の設定時間間隔で撮像を行うことを特徴とする請求項１記載の撮像装置。
【請求項３】
上記ファイル化手段は、上記撮像手段により連続して撮影された複数の上記画像データから単一の画像ファイルを生成することを特徴とする請求項１記載の撮像装置。
【請求項４】
撮影モードを設定する設定手段をさらに備え、
上記設定手段により第１の撮影モードに設定されている場合は、上記記憶手段は第１の画像サイズの画像データを記憶し、上記設定手段により第２の撮影モードに設定されている場合は、上記記憶手段は上記第１の画像サイズより小さい第２の画像サイズの画像データを記憶すると共に、
上記ファイル化手段は、上記設定手段により上記第２の撮影モードに設定されている場合のみ上記画像ファイルを生成することを特徴とする請求項１記載の撮像装置。
【請求項５】
上記記憶手段に記憶された画像データを圧縮する圧縮手段をさらに備え、
上記ファイル化手段は上記圧縮手段により圧縮された圧縮データとコントロールデータとの対の複数個がヘッダの後に続き、末尾のデータでまとめられてなるファイル形式を形成することを特徴とする請求項１記載の撮像装置。
【請求項６】
上記圧縮手段は、色情報を所定階調以下として一つのデータビット長を短縮する減色処理と、ＬＺＷ方式によるデータ圧縮処理とにより上記画像データを圧縮し、
上記ファイル化手段は、ＧＩＦのファイル形式のファイルを生成することを特徴とする請求項５記載の撮像装置。
【請求項７】
被写体を撮像し画像データを生成する撮像ステップと、
上記撮像ステップにより生成された画像データを記憶する記憶ステップと、
上記記憶ステップにより記憶された複数の上記画像データから単一の画像ファイルを生成するファイル化ステップと、
上記ファイル化ステップにより生成された画像ファイルを記録媒体に記録する記録ステップとを備える撮像方法。
【請求項８】
上記撮像ステップは所定の設定時間間隔で撮像を行うことを特徴とする請求項７記載の撮像方法。
【請求項９】
上記ファイル化ステップは、上記撮像ステップにより連続して撮影された複数の上記画像データから単一の画像ファイルを生成することを特徴とする請求項７記載の撮像方法。
【請求項１０】
撮影モードを設定する設定ステップをさらに備え、
上記設定ステップにより第１の撮影モードに設定されている場合は、上記記憶ステップは第１の画像サイズの画像データを記憶し、上記設定ステップにより第２の撮影モードに設定されている場合は、上記記憶ステップは上記第１の画像サイズより小さい第２の画像サイズの画像データを記憶すると共に、
上記ファイル化ステップは、上記設定ステップにより上記第２の撮影モードに設定されている場合のみ上記画像ファイルを生成することを特徴とする請求項７記載の撮像方法。
【請求項１１】
上記記憶ステップに記憶された画像データを圧縮する圧縮ステップをさらに備え、
上記ファイル化ステップは上記圧縮ステップにより圧縮された圧縮データとコントロールデータとの対の複数個がヘッダの後に続き、末尾のデータでまとめられてなるファイル形式を形成することを特徴とする請求項７記載の撮像方法。
【請求項１２】
上記圧縮ステップは、色情報を所定階調以下として一つのデータビット長を短縮する減色処理と、ＬＺＷ方式によるデータ圧縮処理とにより上記画像データを圧縮し、
上記ファイル化ステップは、ＧＩＦのファイル形式のファイルを生成することを特徴とする請求項１１記載の撮像方法。
【手続補正３】
【補正対象書類名】明細書
【補正対象項目名】０００１
【補正方法】変更
【補正の内容】
【０００１】
【発明の属する技術分野】
この発明は、撮影画像を外部記憶媒体に記憶する撮像装置および撮像方法に関する。
【手続補正４】
【補正対象書類名】明細書
【補正対象項目名】０００４
【補正方法】変更
【補正の内容】
【０００４】
従って、この発明の目的は、動画記録機能を持つことができ、連続する動きの複数の静止画像データをパーソナルコンピュータで広く利用されている画像フォーマットに変換できる機能を有する撮像装置および撮像方法を提供することにある。
【手続補正５】
【補正対象書類名】明細書
【補正対象項目名】０００５
【補正方法】変更
【補正の内容】
【０００５】
【課題を解決するための手段】
以上の問題を解決するために、請求項１の発明は、
被写体を撮像し画像データを生成する撮像手段と、
撮像手段により生成された画像データを記憶する記憶手段と、
記憶手段により記憶された複数の画像データから単一の画像ファイルを生成するファイル化手段と、
ファイル化手段により生成された画像ファイルを記録媒体に記録する記録手段とを備える撮像装置である。
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  互いにインタレースした第１のフィールドと第２のフィールドで１フレームが構成され、複数の画素からなるブロックを単位として符号化された画像信号を入力する入力手段と、
前記入力手段により入力された画像信号を復号して前記ブロック単位に出力する復号手段と、
前記復号手段よりブロック単位で出力された画像信号中第１のフィールドの画像信号を用いて第２のフィールドの画像信号を補間し、前記ブロック単位で出力する補間手段とを備える画像処理装置。
【請求項２】  前記補間手段は、前記ブロック単位で出力された第１フィールドの画像信号と第２フィールドの画像信号の間の動きを検出する動き検出手段を有し、前記動き検出手段の検出結果に従って前記補間処理を行うことを特徴とする請求項１記載の画像処理装置。
【請求項３】  前記補間手段は前記第１フィールドの画像信号と第２フィールドの画像信号とを合成することにより補間画像信号を生成し、前記動き検出結果に従って前記合成の割合を決定することを特徴とする請求項２記載の画像処理装置。
【請求項４】  前記各ブロックは垂直方向ｍ画素×水平方向ｎ画素（ｍ、ｎはそれぞれ２以上の整数）から構成されていることを特徴とする請求項２記載の画像処理装置。
【請求項５】  前記動き検出手段は入力手段より出力されたｎ画素分の画像データを保持する第１の保持手段と、前記第１の保持手段より出力されるｎ画素分の画像データを保持する第２の保持手段とを有し、前記動き検出手段は前記第１の保持手段に供給されるべき画像データと前記第１の保持手段から出力された画像データ及び前記第２の保持手段から出力された画像データを用いて動きを検出することを特徴とする請求項４記載の画像処理装置。
【請求項６】  前記入力手段は、撮像手段と、前記撮像手段により得られた画像信号を記憶するメモリとを有し、前記メモリより前記ブロック単位に画像信号を読み出して出力することを特徴とする請求項１記載の画像処理装置。
【請求項７】  静止画像出力を指示する指示手段を備え、前記補間手段は前記指示手段の指示に応じて前記補間処理を行うことを特徴とする請求項１記載の画像処理装置。
【請求項８】  前記補間手段は前記ブロックの上もしくは下の端部とそれ以外の部分とで異なる補間処理を行うことを特徴とする請求項１記載の画像処理装置。
【請求項９】  互いにインタレースした第１のフィールドと第２のフィールドで１フレームが構成され、複数の画素からなるブロックを単位として符号化された画像信号を入力し、
前記入力された画像信号を復号して前記ブロック単位に出力し、
前記復号されブロック単位で出力された画像信号中第１のフィールドの画像信号を用いて第２のフィールドの画像信号を補間し、前記ブロック単位で出力することを特徴とする画像処理方法。
【手続補正２】
【補正対象書類名】明細書
【補正対象項目名】００１４
【補正方法】変更
【補正の内容】
【００１４】
【課題を解決するための手段】
この様な目的下において、本発明においては、互いにインタレースした第１のフィールドと第２のフィールドで１フレームが構成され、複数の画素からなるブロックを単位として符号化された画像信号を入力する入力手段と、前記入力手段により入力された画像信号を復号して前記ブロック単位に出力する復号手段と、前記復号手段よりブロック単位で出力された画像信号中第１のフィールドの画像信号を用いて第２のフィールドの画像信号を補間し、前記ブロック単位で出力する補間手段とを備える構成とした。
【手続補正書】
【提出日】平成16年5月12日(2004.5.12)
【手続補正１】
【補正対象書類名】明細書
【補正対象項目名】００３４
【補正方法】変更
【補正の内容】
【００３４】
画像データ変換手段７は、第２のメモリ６に記憶された画像修正条件（オペレータにより修正されたもの）に基づいて、第１のメモリ３に記憶されたデジタル画像データＳに対し画像処理を施して、処理済み画像データＳ' を得る（ステップ６０）。処理済み画像データＳ' は、変倍手段８に入力されて、拡大・縮小処理が施され（ステップ６１）、さらに出力変換手段９において出力手段１２に適合した処理が施されて（ステップ６２）、出力画像データＳ" が得られる。出力画像データＳ" は出力手段１２に入力され、ここでプリント画像として再生される（ステップ６３）。
【手続補正２】
【補正対象書類名】図面
【補正対象項目名】図１
【補正方法】変更
【補正の内容】
【図１】
2000092314.tif 000001
【手続補正３】
【補正対象書類名】図面
【補正対象項目名】図４
【補正方法】変更
【補正の内容】
【図４】
2000092314.tif 000002
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】 カメラボディの前面に設けられた撮影レンズと、
この撮影レンズを通して被写体画像を撮像して撮像信号を出力するイメージセンサと、
前記撮像信号をデジタル変換した画像データを記憶するメモリと、
このメモリから読み出された１画面分の画像データに基づいて、現像処理液を内蔵したインスタントフイルムに露光を与える光プリンタと、
露光済みのインスタントフイルムをカメラボディ外に搬送しながらインスタントフイルムに内蔵された現像処理液の展開を行う展開ローラを含む展開駆動装置と、
前記カメラボディの前面以外の面に設けられ、前記光プリンタを制御する際に操作される操作部と
を備えたことを特徴とする電子スチルカメラ。
【請求項２】  前記インスタントフイルムの装填室をカメラボディの前記撮影レンズ側に設けたことを特徴とする請求項１記載の電子スチルカメラ。
【請求項３】  前記カメラボディの前記操作部の近傍に液晶パネルを設けたことを特徴とする請求項１または２記載の電子スチルカメラ。
【手続補正２】
【補正対象書類名】明細書
【補正対象項目名】０００６
【補正方法】変更
【補正の内容】
【０００６】
【課題を解決するための手段】
上記目的を達成するために、本発明の電子スチルカメラは、カメラボディの前面に設けられた撮影レンズと、この撮影レンズを通して被写体画像を撮像して撮像信号を出力するイメージセンサと、前記撮像信号をデジタル変換した画像データを記憶するメモリと、このメモリから読み出された１画面分の画像データに基づいて、現像処理液を内蔵したインスタントフイルムに露光を与える光プリンタと、露光済みのインスタントフイルムをカメラボディ外に搬送しながらインスタントフイルムに内蔵された現像処理液の展開を行う展開ローラを含む展開駆動装置と、前記カメラボディの前面以外の面に設けられ、前記光プリンタを制御する際に操作される操作部とを備えたものである。また、前記インスタントフイルムの装填室をカメラボディの前記撮影レンズ側に設けたものである。また、前記カメラボディの前記操作部の近傍に液晶パネルを設けたものである。
【手続補正３】
【補正対象書類名】明細書
【補正対象項目名】００５０
【補正方法】変更
【補正の内容】
【００５０】
【発明の効果】
以上に述べたように、本発明の電子スチルカメラは、カメラボディに光プリンタを内蔵するとともに、カメラボディの前面以外の面に光プリンタを制御する際に操作される操作部を設けたので、プリントを行う度にプリンタ光学系を形成する面倒な準備操作を不要とすることができるとともに、カメラボディを前面以外の面を上にして机等の上に置いたまま容易にプリント操作を行うことができ、プリント時の操作性を向上できる。また、インスタントフイルムの装填室をカメラボディの撮影レンズ側に設けると、前記操作部のカメラボディの前面以外の面への配置が容易にできる。また、カメラボディの操作部の近傍に液晶パネルを設けると、カメラボディを前面以外の面を上にして机等の上に置いた状態で、再生やプリントするコマの選択が容易にでき、プリント時等の操作性を向上できる。
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  レンズ部を有し、前記レンズ部を介して供給される被写体光を受けて画像信号を出力する撮像手段と、
開閉可能なレンズバリア部と、
前記レンズバリア部の開閉状態を検出するバリア検出手段と、
前記撮像手段により得られた画像信号を記憶するメモリと、
前記メモリより読み出された画像信号を記録媒体に記録する記録手段と、
前記記録手段による前記画像信号の記録時において前記バリア検出手段が前記レンズバリア部の非開状態を検出したことに応じて前記メモリに記憶された１画面の画像信号を繰り返し読み出して前記記録手段に出力すると共に、前記記録手段に対して記録の停止を指示する制御手段とを備える撮像装置。
【請求項２】  前記制御手段は前記バリア検出手段が前記レンズバリア部の非開状態を検出したことに応じて前記記録手段に対して記録の停止を指示した後、前記記録手段による記録が停止するまでの間、前記メモリに記憶された１画面の画像信号を繰り返し読み出して前記記録手段に出力することを特徴とする請求項１記載の撮像装置。
【請求項３】  前記記録手段は前記メモリから読み出された画像信号の情報量を圧縮する圧縮手段を有することを特徴とする請求項１記載の撮像装置。
【手続補正２】
【補正対象書類名】明細書
【補正対象項目名】０００９
【補正方法】変更
【補正の内容】
【０００９】
【課題を解決するための手段】
この様な目的下において、本発明においては、レンズ部を有し、前記レンズ部を介して供給される被写体光を受けて画像信号を出力する撮像手段と、開閉可能なレンズバリア部と、前記レンズバリア部の開閉状態を検出するバリア検出手段と、前記撮像手段により得られた画像信号を記憶するメモリと、前記メモリより読み出された画像信号を記録媒体に記録する記録手段と、前記記録手段による前記画像信号の記録時において前記バリア検出手段が前記レンズバリア部の非開状態を検出したことに応じて前記メモリに記憶された１画面の画像信号を繰り返し読み出して前記記録手段に出力すると共に、前記記録手段に対して記録の停止を指示する制御手段とを備える構成とした。
【手続補正３】
【補正対象書類名】明細書
【補正対象項目名】００４２
【補正方法】削除
【補正の内容】